(57)【要約】【課題】印字機能付き名刺入れを実現し、名刺入れ内の名刺に日付を印字できるようにすることである。【解決手段】印字機能付き名刺入れは、上ケース１と、上ケース１を開閉自在に取り付けた下ケース２とからなり、上ケース１は印字方向と反対方向に付勢され、一端が上ケースの穴から印字方向に突出する印字ハンマ１１を備え、下ケース２は名刺格納部を形成する名刺ケース２１と、日付用の活字２３１を周囲に設けた複数の活字ホイール２３と、活字２３１により名刺３に日付を印字する印字リボン２２１とを備えている。名刺格納部の名刺３を活字ホイール２３の活字２３１上の印字位置にセットし、印字ハンマ１１を押圧することにより印字リボン２２１を介して名刺３を活字２３１に押し付けて日付を印字するようにしたものである。【選択図】図３
2006026036.tif 000002
【特許請求の範囲】
【請求項１】
上ケースと、前記上ケースを開閉自在に取り付けた下ケースとからなり、
前記上ケースは印字方向と反対方向に付勢され、一端が前記上ケースの穴から前記印字方向に突出する印字ハンマを備え、
前記下ケースは名刺格納部を形成する名刺ケースと、日付用の活字を有する活字装置と、前記活字により名刺に日付を印字する印字リボンとを備え、
前記名刺格納部の名刺を前記活字装置の活字上の印字位置にセットし、前記印字ハンマを押圧することにより前記印字リボンを介して前記名刺を活字に押し付けて日付を印字することを特徴とする印字機能付き名刺入れ。
【請求項２】
前記上ケースに名刺移動用穴を設け、前記下ケースに前記名刺格納部内の名刺を上方向に付勢する弾性体を設け、
前記名刺移動用穴から指を前記名刺格納部内の最上部の名刺に接触させ、前記名刺をスライドさせるように搬送して前記印字位置にセットすることを特徴とする請求項１記載の印字機能付き名刺入れ。
【請求項３】
前記上ケースに名刺移動用穴と、前記名刺移動用穴に嵌合してスライドし、下面が前記名刺格納部内の最上部の名刺に接触する名刺移動フィーダとを設け、前記下ケースに前記名刺格納部内の名刺を上方向に付勢する弾性体を設け、
前記名刺移動フィーダをスライドさせることにより前記名刺格納部内の最上部の名刺を搬送して前記印字位置にセットすることを特徴とする請求項１記載の印字機能付き名刺入れ。
【請求項４】
前記名刺格納部の先端位置に名刺が２枚以上重なって前記印字位置に搬送されないように名刺重なり防止部を設けたことを特徴とする請求項２又は３記載の印字機能付き名刺入れ。
【請求項５】
前記活字装置が日付用の活字を周囲に設けた複数の活字ホイールで構成されたことを特徴とする請求項１〜４のいずれかに記載の印字機能付き名刺入れ。
【請求項６】
前記下ケースに前記活字ホイールに係合して活字の回転を止める活字回転ストッパを設けたことを特徴とする請求項５記載の印字機能付き名刺入れ。
【請求項７】
前記上ケースの印字位置に対応する場所に、名刺が印字位置にセットされたことを確認するための覗き窓を設けたことを特徴とする請求項１〜６のいずれかに記載の印字機能付き名刺入れ。
【請求項８】
前記上ケースと下ケースに印字した名刺を取り出すための出口を設けたことを特徴とする請求項１〜７のいずれかに記載の印字機能付き名刺入れ。
【発明の詳細な説明】
【技術分野】
【０００１】
本発明は、名刺入れ内の名刺に日付を印字することができる印字機能付き名刺入れに関するものである。
【背景技術】
【０００２】
名刺は、ビジネスや社交等の場において、簡単な自己紹介を兼ねてよく使用される。しかし、交換した名刺には日付が記入されていないため、後になっていつ会ったか思い出せない場合もある。
そこで、名刺に日付と場所などを記入する人もいるが、もし、日付を印字した名刺を手渡すことができれば、受け取った人は日付の記入も必要がなく、便利だと考えられる。
【０００３】
しかしながら、従来の名刺入れは、名刺を格納するだけで、印字機能を有しているものは存在しない。
一方、プリンタとしては、名刺を印刷するものは多数あるが、印刷された名刺に日付を印字させるものとして、サーマルヘッドとプラテンとの間と、ドライブローラと押圧ローラとの間に名刺を挟持させ、その状態から名刺を引き抜くことにより制御信号を発生させて、当日もしくは特定の日付を印字するものがある（特許文献１参照）。
【特許文献１】特開平９−５８０９５号公報
【発明の開示】
【発明が解決しようとする課題】
【０００４】
しかしながら、従来のプリンタは、自宅又はオフィス等において、当日又は過去に受け取った名刺に日付を印字するものであり、常時携帯するものではない。
装置としては、電子制御をして電力によりサーマルヘッドを駆動させて印字するので、サーマルヘッド、電池、ＣＰＵ、メモリ、ディスプレイ、各種スイッチ等を必要とし、大きくて重量のあるものとなる。そのため、名刺入れ内に収容して携帯することは不可能である。
解決しようとする課題は、印字機能付き名刺入れを実現し、名刺入れ内の名刺に日付を印字できるようにすることである。
【課題を解決するための手段】
【０００５】
本発明は、上ケースと、上ケースを開閉自在に取り付けた下ケースとからなり、上ケースは印字方向と反対方向に付勢され、一端が上ケースの穴から印字方向に突出する印字ハンマを備え、下ケースは名刺格納部を形成する名刺ケースと、日付用の活字を有する活字装置と、前記活字により名刺に日付を印字する印字リボンとを備え、名刺格納部の名刺を活字装置の活字上の印字位置にセットし、印字ハンマを押圧することにより印字リボンを介して名刺を活字に押し付けて日付を印字するようにしたものである。
【発明の効果】
【０００６】
本発明は、上ケースに印字ハンマを備え、下ケースに名刺収納部と印字機構部を備えたので、印字ハンマを押圧することにより名刺入れ内の名刺に日付を印字することができる。
そのため、予め活字を当日の日付にしておけば、名刺交換をする際に、その場で日付を印字し、日付つきの名刺を相手に手渡すことができる。
更に、本発明は、電力や電子制御を全く必要としないので、軽くて低価格の印字機能付き名刺入れを実現することができる。
【発明を実施するための最良の形態】
【０００７】
本発明は、上ケースと、上ケースを開閉自在に取り付けた下ケースとからなり、上ケースは印字方向と反対方向に付勢され、一端が上ケースの穴から印字方向に突出する印字ハンマと、名刺移動用穴と、名刺移動用穴に嵌合してスライドし、下面が名刺格納部内の最上部の名刺に接触する名刺移動フィーダとを備え、下ケースは名刺格納部を形成する名刺ケースと、日付用の活字を有する活字装置と、活字により名刺に日付を印字する印字リボンと、名刺格納部内の名刺を上方向に付勢する弾性体とを備え、名刺移動フィーダをスライドさせることにより名刺格納部内の最上部の名刺を搬送して印字位置にセットし、印字ハンマを押圧することにより印字リボンを介して名刺を活字に押し付けて日付を印字することで実現した。
【実施例１】
【０００８】
図１は本発明の実施例１を示す側面図で、上ケースが開閉できることを示しており、図２は一部省略した実施例１の平面図である。
実施例１の印字機能付き名刺入れは、図１に示すように、合成樹脂又は金属板等で形成した箱型の上ケース１と、上ケース１を開閉自在に取り付けた合成樹脂又は金属板等で形成した箱型の下ケース２とから構成される。
上ケース１は、印字ハンマ１１とハンマバネ１２を備えている。印字ハンマ１１はハンマバネ１２に接着等で固定されており、ハンマバネ１２は上ケース１に接着等で固定され、印字方向と反対方向に印字ハンマ１１を付勢する。ハンマバネ１２を板バネで示しているが、スプリング等を使用しても良い。
印字ハンマ１１は、一端が上ケース１に設けた穴から突出しており、指等でハンマバネ１２の上部を押圧することにより印字方向、即ち下方向に移動して印字動作をする。
【０００９】
上ケース１の後部は下ケース２とケースシャフト１３により結合され、上ケース１は、２点鎖線で示したように、ケースシャフト１３を中心に矢印Ｘ方向に回転可能に取り付けられる。名刺の出し入れ、活字の日付変更等の際に、上ケース１は容易に開閉される。
上ケース１の前部には、開閉時に使用する取っ手１４と、図２に示した下ケース２の穴と係合する係止部１５とが設けられており、上ケース１と下ケース２がしっかりと閉まるように構成されている。
図２において、ハンマバネ１２の両側にある小判型のものは覗き窓１６で、名刺が印字位置に正しくセットされたどうかを確認するためのものである。なお、上ケース１を透明な合成樹脂で形成した場合には、覗き窓１６を設ける必要はない。
【００１０】
図３は実施例１の上ケース及び下ケースの側板を外した状態を示す側面図で、一部断面で示しており、図４は実施例１の上ケース及び下ケースの正面板を外した状態を示す正面図で、一部断面で示し、更に手前側のリボンブラケット及びブラケットガイドを取り外した状態を示している。
下ケース２は、名刺３を収納する名刺格納部を形成する名刺ケース２１と、印字リボン２２１を有するリボンアッセンブリ２２と、活字装置である日付用の活字２３１を周囲に設けた複数の活字ホイール２３を備えている。
なお、下ケース２は、印字部以外の部分を薄くするために、段違いのケースにしているが、この形状は必要に応じて設計すれば良い。
【００１１】
名刺ケース２１は、図示を省略しているが、側板の一部又は底板を使用して下ケース２に固定しており、名刺３を複数枚例えば１０枚程度収納できるように名刺格納部を形成し、図３に示すように前方には浅い屋根部２１１を形成している。
屋根部２１１は、名刺３の先端部を収容して、名刺入れが反転しても名刺３が名刺格納部から飛び出したり、上ケース１を開けた時に名刺３が名刺入れから落ちたりしないようにするためと、名刺３を印字位置にセットした際に、名刺３の姿勢をリボンプロテクタ２４と屋根部２１１で支持するために設けたものである。
リボンプロテクタ２４は、図４に示すように、リボンプロテクタ基板２４１に接着等で固定され、リボンプロテクタ２４１は下ケース２の側板のリボンプロテクタシャフト２４２に回転可能に取り付けられている。リボンプロテクタ２４はリボンプロテクタシャフト２４２を軸にして、図３のように矢印Ｙ方向に回転して開閉することができる。
【００１２】
リボンアッセンブリ２２は、図４に示すように、印字リボン２２１と、渦巻き状にした印字リボン２２１を嵌合した供給側のリボンシャフト２２２と、巻き取り側のリボンシャフト２２３と、複数の活字ホイール２３を挟んで両側に設けられたリボンガイドシャフト２２４と、前記した各シャフト２２２，２２３，２２４を両側から挟んで支持するリボンブラケット２２５を備えている。
リボンアッセンブリ２２は、リボンブラケットガイド２２６にリボンブラケット２２５が挟持されるようにリボンシャフト２２２により回転可能に取り付けられる。リボンアッセンブリ２２はリボンシャフト２２２を軸にして矢印Ｚ方向に回転して開閉することができる。
リボンプロテクタ２４とリボンアッセンブリ２２を開くことにより、印字ホイール２３の印字する活字２３１が露出されるので、指や活字２３１間に入る簡単な道具などを使用し、活字ホイール２３を回転させて日付を容易に変更することができる。
なお、ブラケット２２７はリボンアッセンブリ２２を所定の高さに支持するものである。
【００１３】
活字ホイール２３は、日付用の複数の活字２３１を形成した活字リング２３２をホイール２３３の周囲に嵌合したものである。材質としては例えば合成樹脂が使用される。
活字ホイール２３は、図４に示すように、日付表示に必要な複数個、通常は年表示用に２個、月表示用に広い幅のものを１個及び日表示用に２個を活字シャフト２３４に回転可能に嵌合し、活字シャフト２３４を活字ブラケット２３５に固定している。活字ブラケット２３５は下ケース２の底板に固定される。
【００１４】
ホイール２３３には、図３に示すように活字２３１の数と同数の溝２３６が形成され、下ケース２に設けられた活字回転ストッパ２３７が溝２３６に係合し、活字ホイール２３が不用意に回転して日付が変ってしまうことを防止する。
なお、図３において、下ケース２の前部に設けられた穴２５は上ケース１の係止部１５が挿入されて係合する穴であり、図４において、上ケース１に設けられた穴１７は印字ハンマ１２が突出するための穴である。
【００１５】
図５は実施例１の印字部を示す平面図で、印字リボンを１点鎖線で、リボンプロテクタを２点鎖線で示している。
５個の活字ホイール２３の印字位置における活字２３１の上方にリボンシャフト２２２からリボンシャフト２２３に巻き取られる印字リボン２２１が配置される。
更に、印字リボン２２１の上方にリボンプロテクタ基板２４１に固定されたリボンプロテクタ２４が配置され、日付印字用に配列された活字２３１がリボンプロテクタ２４に設けられた窓２４３に対応するように位置決めされる。このリボンプロテクタ２４は印字リボン２２１を保護するためのもので、印字する部分には窓２４３が明けられており、活字２３１に直接印字リボン２２１が当接できるように構成されている。
【００１６】
巻き取り側のリボンシャフト２２３には、手で回転させて印字リボン２２１を巻き取るようにノブ２２８が取り付けられているので、使用した印字リボン２３１を日付印字分だけ少し巻き取ることにより、常に新しい部分の印字リボン２３１を使用することができる。
なお、両側のブラケットガイド２２６には、両側のリボンブラケット２２５がリボンシャフト２２２により回転可能に取り付けられる。
【００１７】
図６はリボンブラケットガイドとリボンアッセンブリを示す斜視図である。
リボンブラケットガイド２２６は本立てのような形状をしており、その中にリボンアッセンブリ２２を収容し、軸穴２２９にリボンシャフト２２２を挿入して回転可能に支持する。
【００１８】
リボンアッセンブリ２２は、リボンブラケット２２５の中に印字リボン２２１と、印字リボン供給側のリボンシャフト２２２と、印字リボン巻き取り側のリボンシャフト２２３と、２本のリボンガイドシャフト２２４とを備え、リボンシャフト２２３には巻き取り用のノブ２２８が取り付けられている。
リボンアッセンブリ２２はリボンブラケットガイド２２６に取り付けられた状態で、リボンシャフト２２２を軸にして回転することができる。
なお、リボンブラケット２２５及びリボンブラケットガイド２２６の形状は図示のものに限定されず、任意に設計することができる。
また、印字リボン２２１を直接リボンシャフト２２２に嵌合しているが、印字リボン２２１をリールに巻いて、このリールをリボンシャフト２２２に嵌合しても良い。
【００１９】
図７は実施例１の活字ホイールを拡大して示した正面図である。
活字ホイール２３は日付用の活字２３１を周囲に設けたもので、実施例１では、活字２３１と同数の溝２３６を周囲に形成したホイール２３３に、活字２３１を形成した活字リング２３２を嵌合している。
活字回転ストッパ２３７は、弾性のある材質で形成され、活字ホイール２３が回転しないように、先端がホイール２３３の各溝２３６に嵌合している。日付を変更するために活字ホイール２３を回転させる場合は、活字回転ストッパ２３７は弾性があるので、溝２３６から容易に外れ、何ら支障はない。
活字回転ストッパ２３７は、複数の活字ホイール２３に対応するため、弾性のあるリード片やピアノ線を櫛状にしたものが適当である。
【００２０】
図８は他の活字ホイールの例を示す側面図である。
図３及び図７に示した活字ホイール２３は活字２３１を形成した活字リング２３２を使用しているが、図８の活字ホイール４３は単独の活字４３１を使用し、ホイール４３３の周囲に形成した溝４３６にそれぞれ活字４３１を嵌め込み、接着剤を用いて接着したものである。
このように構成すると、活字リング２３２を使用する場合より、活字４３１の位置を正確に設定することができるという利点がある。
なお、活字装置には、一般に日付ゴム印として使用されているような活字ベルト機構を利用することもできる。
【００２１】
図９はリボンプロテクタの斜視図である。
リボンプロテクタ２４は金属板等で形成され、中央部に印字のための窓２４３が明けられ、周囲の３辺がリボンプロテクタ基板２４１に接着剤等で固定されている。
リボンプロテクタ基板２４１の２つの脚部２４４には軸穴２４５が明けられており、この軸穴２４５は図５に示したリボンシャフト２４２と回転可能に嵌合する。
【００２２】
次に、印字動作について説明する。
まず、図１に示すように、上ケース１を開け、図３に示すように名刺ケース２１内に名刺３がなければ複数枚の名刺３を名刺格納部に格納する。
次に、リボンプロテクタ２４を矢印Ｙ方向に回転させて開け、次いで図４に示すようにリボンアッセンブリ２２を矢印Ｚ方向に回転させて開け、図５に示すように活字ホイール２３を回転させて、日付印字用に活字２３１を例えば「'０４．１２．３１」と合わせ、リボンアッセンブリ２２及びリボンプロテクタ２４を元の位置に戻すと共に上ケース１を閉じる。
【００２３】
名刺３に日付を印字する場合は、閉じた上ケース１を開け、名刺格納部内から名刺３を１枚取り出し、名刺３の印字する場所が印字すべき活字２３１の上方位置に来るように、名刺３を印字位置にセットし、上ケース１を閉じる。図３は最上部の名刺３が印字位置にセットされ、上ケース１が閉じられた状態を示している。
この時、図２に示した覗き窓１６から名刺３が所定の印字位置にあるかどうか確認する。上ケース１が透明な場合、この確認は極めて容易である。
【００２４】
名刺３が印字位置にあることが確認できたら、指等でハンマバネ１２に抗して印字ハンマ１１を下方、即ち印字方向に押圧する。
印字ハンマ１１は名刺３の上面に接触し、印字リボン２２１を介して活字２３１に名刺３の下面を押し付け、図５に示すような日付を名刺３に印字する。指を放して押圧を止めれば印字ハンマ１１はハンマバネ１２により元の位置に復帰する。
名刺３の表面に印字したい場合は表面を下にし、裏面に印字したい場合は裏面を下にすれば良い。
印字リボン２２１としては、インクリボン、カーボン転写リボン等が適当で、動力や電力を使用しなくても日付の鮮明な印字を得ることができる。
日付が印字された名刺３は、上ケース１を開ければ容易に取り出すことができ、直ちに名刺交換をすることができる。
【００２５】
以上のように実施例１によれば、上ケースに印字ハンマを備え、下ケースに名刺格納部と、日付用の活字を有する活字装置と、印字リボンを備えることにより、日付印字機能付きの名刺入れを実現し、印字ハンマを押圧することにより名刺入れ内の名刺に日付を印字することができる。
また、予め活字を当日の日付にしておけば、名刺交換する際に、その場で日付を印字し、日付つきの名刺を相手に手渡すことができ、話題になるばかりでなく、商談を順調に進める手段にもなると予想される。
更に、電力や電子制御を全く必要としないで、軽くて低価格で携帯に便利な印字機能付き名刺入れを提供することができる。
【００２６】
図１０は本発明の実施例２を示す一部省略した平面図、図１１は実施例２の上ケース及び下ケースの側板を外した状態を示す側面図、図１２は実施例２の上ケース及び下ケースの正面板を外した状態を示す正面図で、一部断面で示し、更に手前側のリボンブラケット及びリボンブラケットガイドを取り外した状態を示している。
実施例１とは、図１１に示すように、上ケース１に名刺移動用穴１８及び名刺押さえプレート４２を設け、下ケース２に名刺ケース４１の名刺格納部内の名刺３を上方向に付勢する弾性体、例えばスプリング４１１及びスプリングケース４１２を設け、名刺格納部の先端位置に名刺重なり防止部４１３を設け、更に上ケース１と下ケース２に印字した名刺を取り出すための出口３１，３２を設けたことが異なるだけで、他は同じである。
【００２７】
図１０に示した名刺移動用穴１８は、名刺格納部内の名刺３を印字位置に搬送させるためのもので、名刺移動用穴１８を通して指を最上部の名刺３に接触させ、指と名刺３との摩擦力を利用してスライドさせ、図１１に示すように、名刺３の先端部をＡからＢの位置、即ち印字位置まで移動させるのに使用される。
名刺移動用穴１８は略長方形に形成しているが、移動距離等を考慮して適宜設計すれば良い。
【００２８】
名刺ケース４１は、その内部が名刺格納部を形成することは実施例１と同じであるが、図１１に示すように、名刺格納部内の複数の名刺３を常時上方に付勢するために、弾性体であるスプリング４１１とスプリングケース４１２を設けている。
スプリングケース４１２はスプリング４１１を収容するケースとなるばかりでなく、最上部の名刺３が印字位置に搬送されるのに最適な高さに支持されるように、最大高さが設定され、更に、格納される名刺３の枚数に応じて下方に移動できるように構成されている。また、スプリング４１２の弾力をこれに適するようにすることは勿論である。
なお、弾性体として、板バネ、パンタグラフ式のバネ等も適用することができる。
【００２９】
図１１，１２に示した名刺押さえプレート４２は、カラー４２１を使用して高さを出し、外周部をネジ止めや接着等により上ケース１に固定されており、上ケース１を閉じた時に、名刺格納部内の名刺３を押さえて所定位置に維持する役目をする。
名刺押さえプレート４２には、上ケース１の名刺移動用穴１８に対応して、同等の穴が明けられており、指を名刺移動用穴１８に入れて名刺３を搬送させるのに全く支障がない。
また、名刺押さえプレート４２は金属板や合成樹脂等で形成されるが、名刺３と接触する面は摩擦が少なく滑り易いように構成される。
【００３０】
図１１に示した名刺重なり防止部４１３は名刺ケース４１の印字位置に近い斜めに傾斜した先端部、即ち名刺格納部の先端位置に設けられ、高摩擦部材、例えば通常のゴム材、表面に凹凸を形成したゴム材等で構成されている。
仮に、２枚以上の名刺３が重なって搬送された場合でも、最上部の名刺３は名刺重なり防止部４１３より高い位置を通過し、２枚目以降の名刺３は名刺重なり防止部４１３の高摩擦部材により係止され、印字位置に搬送されるのが防止される。
名刺重なり防止部４１３の高さを、名刺１枚の厚さで通過させたり、ストップさせたりできるように微妙に調整することは言うまでもない。
【００３１】
なお、名刺重なり防止部として、ローラを逆回転させる機構等を採用することもできる。
また、名刺３が滑り易い材質の場合や、指の摩擦力が大きくなるようにした場合には、名刺３が重なって搬送されることは少なくなるので、その場合には名刺重なり防止部４１３は必ずしも設けなくても良い。
【００３２】
図１１に示した名刺の出口３１は上ケース１に、出口３２は下ケース２に、それぞれ対応する位置に設けられており、出口３１，３２の幅は名刺３が取り出せるだけの大きさを有している。図の場合は名刺３の短辺が出るのに十分な大きさとなっている。
出口３１，３２は日付を印字した後の名刺３を取り出すためのものであるから、実施例１のように、上ケース１を開けて印字後の名刺３を取り出す場合は出口３１，３２を設置しなくても良い。
【００３３】
次に、印字動作について説明すると、図１１，１２において、日付印字のために活字２３１をセットし、上ケース１を閉じておく。その状態で、上ケース１の名刺移動用穴１８を通して指で最上部の名刺３に接触する。最上部の名刺３は、他の名刺と共にスプリングケース４１２に支持され、名刺押さえプレート４２で上方から押さえられており、図１１に示すように、指の摩擦力により名刺３をＡからＢの位置に搬送し、印字位置にセットする。
印字位置にセットされた名刺３に日付を印字する動作は実施例１と全く同じである。
上ケース１を開けずに印字後の名刺３を取り出す場合は、名刺移動用穴１８を通して指を名刺３に接触させ、出口３１，３２の方向にスライドさせて名刺３を搬送し、名刺３の先端を出口３１，３２から突出させる。後は、突出した名刺３の先端を指でつまんで引き出せば良い。
【００３４】
以上のように実施例２によれば、実施例１の効果に加えて、名刺を印字位置にセットする場合及び日付を印字した後の名刺を取り出す場合に、名刺移動用穴を利用して名刺をスライドさせて搬送するので、上ケースを閉じたままで良く、実施例１のようにいちいち上ケースを開ける手間がなくなり、また見た目にもスマートな動作となる利点がある。
【００３５】
図１３は本発明の実施例３を示す側面図、図１４は実施例３を示す一部省略した平面図、図１５は実施例３の上ケース及び下ケースの側板を外した状態を示す側面図である。
実施例２とは、上ケース１に名刺移動用穴１８に嵌合してスライドする名刺移動フィーダ１９を設けたことが異なるだけで、他は同じである。
【００３６】
名刺移動フィーダ１９は、図１５に示すように３層から成り、指が接触する移動駒１９１と、上面が移動駒１９１に接触し、下部の両側が名刺移動用穴１８に嵌合するようにくびれた受け板１９２と、最上部の名刺３に接触する高摩擦部１９３をそれぞれ接着している。
移動駒１９１は指等で前方又は後方に押したり引いたりするのに適するように窪みを設けている。また受け板１９２を移動駒１９１と別体にしているが、同一部材で一体に形成しても良い。
また、高摩擦部１９３は通常のゴム、凹凸を表面に形成したゴム、名刺３に接触する面を粗くした合成樹脂等で構成される。
【００３７】
名刺３を印字位置にセットする場合は、図１５において、上ケース１を閉じたまま名刺移動フィーダ１９の移動駒１９１を指でａからｂの位置まで押すと、名刺ケース４１の名刺格納部内に収納された最上部の名刺３はその先端がＡからＢに搬送され、名刺３が印字位置に移動する。
この際、名刺移動フィーダ１９に高摩擦部１９３を設けているので、この高摩擦部１９３と名刺３の強い摩擦力によって名刺３は確実に印字位置に移動してセットされる。以後の印字動作は実施例２と同じである。
上ケース１を開けずに印字後の名刺３を取り出す場合は、名刺移動フィーダ１９の移動駒１９１を更に出口３１，３２の方向に押して名刺３を搬送し、名刺３の先端を出口３１，３２から突出させ、突出した名刺３の先端を指でつまんで引き出せば良い。
次の名刺３に日付を印字する場合は、移動駒１９１を元のａの位置まで戻し、上記した動作を繰り返すことになる。
【００３８】
以上のように実施例３によれば、実施例２の効果に加えて、高摩擦部を備えた名刺移動フィーダを設けたので、強い摩擦力により名刺を印字位置に確実にセットできるという効果がある。
なお、実施例２、３において、名刺３をスプリングケース４１２で支持しているが、スプリングケース４１２の上に名刺３を支持するプレートを必要に応じて設けるようにしても良い。
【図面の簡単な説明】
【００３９】
【図１】本発明の実施例１を示す側面図である。
【図２】実施例１の平面図である。
【図３】実施例１の側板を外した側面図である。
【図４】実施例１の正面板を外した正面図である。
【図５】実施例１の印字部を示す平面図である。
【図６】リボンブラケットガイドとリボンアッセンブリを示す斜視図である。
【図７】活字ホイールの正面図である。
【図８】他の活字ホイールの側面図である。
【図９】リボンプロテクタの斜視図である。
【図１０】実施例２の平面図である。
【図１１】実施例２の側板を外した側面図である。
【図１２】実施例２の正面板を外した正面図である。
【図１３】実施例３の側面図である。
【図１４】実施例３の平面図である。
【図１５】実施例３の側板を外した側面図である。
【符号の説明】
【００４０】
１                  上ケース
２                  下ケース
３                  名刺
１１                印字ハンマ
１２                ハンマバネ
１３                ケースシャフト
１４                取っ手
１５                係止部
１６                覗き窓
１７                穴
１８                名刺移動用穴
１９                名刺フィーダ
１９１              移動駒
１９２              受け板
１９３              高摩擦部
２１                名刺ケース
２１１              屋根部
２２                リボンアッセンブリ
２２１              印字リボン
２２２，２２３      リボンシャフト
２２４              リボンガイドシャフト
２２５              リボンブラケット
２２６              リボンブラケットガイド
２２７              ブラケット
２２８              ノブ
２２９              軸穴
２３                活字ホイール
２３１              活字
２３２              活字リング
２３３              ホイール
２３４              活字シャフト
２３５              リボンブラケット
２３６              溝
２３７              活字回転ストッパ
２４                リボンプロテクタ
２４１              リボンプロテクタ基板
２４２              リボンプロテクタシャフト
２４３              窓
２４４              脚部
２４５              軸穴
２５                穴
３１，３２          出口
４１                名刺ケース
４１１              スプリング
４１２              スプリングケース
４１３              名刺重なり防止部
４２                名刺押さえプレート
４２１              カラー
４３                活字ホイール
４３１              活字
４３３              ホイール
４３６              溝
【図１】
2006026036.tif 000003
【図２】
2006026036.tif 000004
【図３】
2006026036.tif 000005
【図４】
2006026036.tif 000006
【図５】
2006026036.tif 000007
【図６】
2006026036.tif 000008
【図７】
2006026036.tif 000009
【図８】
2006026036.tif 000010
【図９】
2006026036.tif 000011
【図１０】
2006026036.tif 000012
【図１１】
2006026036.tif 000013
【図１２】
2006026036.tif 000014
【図１３】
2006026036.tif 000015
【図１４】
2006026036.tif 000016
【図１５】
2006026036.tif 000017